(57)【要約】      （修正有）【課題】複数の一次送り回路を盤内に設けるに当たり，スペースを圧迫せず，低コストで、配線作業を容易に行うことが可能なブレーカ用端子台。【解決手段】基板への固定手段を有しているブレーカのプラグイン端子に電源導体を接続する端子台であって，端子台は，電源導体２３，２４を接続する端子部２２２２，２２２３とプラグイン端子に接続するバー状端部２２２１，２２３１を備える導電体，導電体を保持するとともに基板への固定手段を備える絶縁枠体から成り，バー状端部の絶縁枠体からの突出方向の長さは，ブレーカ２０、２０’の並設方向の幅の整数倍に設けられ，端子台はブレーカの長側面２０２に接して位置するとともに、バー状端部は絶縁枠体からの突出方向の長さに応じた数のブレーカに対して各々のブレーカのプラグイン端子に挿入接続されてブレーカの長側面の開口から導出されることを特徴としたブレーカ用端子台２２。【選択図】図５
2006079926.tif 000002
【特許請求の範囲】
【請求項１】
基板への固定手段とプラグイン端子を有し，該プラグイン端子に導体を接続するための開口を具備し該開口は短側面から長側面に連続して開口しているブレーカのプラグイン端子に電源導体を接続する端子台であって，
該端子台は，電源導体を接続する端子部と前記プラグイン端子に接続するバー状端部を備える導電体，該導電体を保持するとともに前記基板への固定手段を備える絶縁枠体から成り，
前記バー状端部の絶縁枠体からの突出方向の長さは，ブレーカの並設方向の幅の整数倍に設けられ，
該端子台は前記ブレーカの長側面に接して位置するとともに，前記導電体のバー状端部は
該バー状端部の絶縁枠体からの突出方向の長さに応じた数のブレーカに対して各々のブレーカのプラグイン端子に挿入接続されてブレーカの長側面の開口から導出されることを特徴としたブレーカ用端子台。
【請求項２】
基板と，主幹ブレーカと，主幹ブレーカの２次側に接続される分電バーと，該分電バーに接続するプラグイン端子を含み前記基板に長側面が隣合うように並べて固定される複数の分岐ブレーカを備える分電盤において，
前記複数の分岐ブレーカの側端部に位置する分岐ブレーカから数えて，請求項１記載のバー状端部の絶縁枠体からの突出方向の長さに対応する数のブレーカに対して該バー状端部を接続して，端子台を設けるとともに，
該端子台の端子部と主幹ブレーカの１次側を電源導体で接続したことを特徴とする複数の１次送りブレーカ付き分電盤。
【発明の詳細な説明】
【技術分野】
【０００１】
本件の発明は，分電バーに接続されるプラグイン端子を備えた複数の分岐ブレーカの一部について，電源を前記分電バー以外から接続する手段に関わり，特に主幹ブレーカと複数の分岐ブレーカを備える分電盤の複数の分岐ブレーカに主幹ブレーカの１次側から電源を供給するための手段に関わる。
【背景技術】
【０００２】
分電盤は，主幹ブレーカの２次側に分岐用銅バーを配し，該分岐用銅バーに複数の分岐ブレーカを接続し，分岐ブレーカから負荷機器へ電気を供給する構成となっている。負荷機器として火災報知器などの安全監視機器を接続する場合など，過負荷や漏電などで主幹ブレーカが切となった場合，電源電圧の供給が停止されるため監視機器が働かなくなり，安全上問題がある。このため，そのような監視機器については主幹ブレーカの１次側から専用分岐ブレーカを介して電源を供給（１次送り）するように１次送り配線を行い，主幹ブレーカが切れても安全監視機器への電源電圧が継続して供給されるようになっている。
また，火災報知器以外にも，誘導灯や，その他主幹ブレーカが切となった場合でも電源の供給を停止することが望ましくない負荷機器を設置する場合には同じく一次送り配線にて電源を供給する。この場合，それぞれの機器に対して電源を供給する回路は別々に設けることが好ましい。即ち，それぞれ専用の一次送り分岐ブレーカを設けて配線を行う。
【０００３】
従来，１次送りの配線技術としては，図１０（特許文献１の図１）に示すように，基板への固定手段とプラグイン端子を有し，該プラグイン端子に導体を接続するための開口を具備し該開口は短側面から長側面に連続して開口しているブレーカのプラグイン端子に電源導体を接続する端子台であって，該端子台は，電源導体を接続する端子部と前記プラグイン端子に接続するバー状端部を備える導電体，該導電体を保持するとともに前記基板への固定手段を備える絶縁枠体から成り，該端子台は前記ブレーカの長側面に接して位置するとともに，前記導電体のバー状端部はプラグイン端子に挿入接続されて前記ブレーカの長側面の開口から導出されることを特徴として提供されたブレーカ用端子台を用いて，基板と，主幹ブレーカと，主幹ブレーカの２次側に接続される分電バーと，該分電バーに接続するプラグイン端子を含み前記基板に長側面が隣合うように並べて固定される複数の分岐ブレーカを備える分電盤において，前記複数の分岐ブレーカの側端部に位置する分岐ブレーカを前記ブレーカ用端子台に置き換えるとともに，該端子台の端子部と主幹ブレーカの１次側を電源導体で接続したことを特徴として１次送りブレーカ付き分電盤を提供したものがあった。
【０００４】
この分電盤において，２個の一次送り回路を設けようとした場合には，図１１（特許文献１の図５）に示されたように，分電バーを挟んで上下に設けられた分岐ブレーカのうち，主幹ブレーカ側の側端部に位置する分岐ブレーカの変わりにブレーカ２０と２０’また，端子台２２と２２’を取付け，端子台２２と２２’に主幹ブレーカ１の１次側端子１０３から電圧を供給するように設けて構成し，分岐ブレーカの側端部に２個の１次送りブレーカを設置するように設けていた。
【０００５】
【特許文献１】特開２００３−２８９６０４号公報  （第１図）
【発明の開示】
【発明が解決しようとする課題】
【０００６】
しかしながら，複数の一次送り回路を設ける場合には，分電バーを挟んで上下の分岐ブレーカの側端部に位置するブレーカを一次送り用のブレーカと差し替えて，さらにそれぞれに端子台を取付ける必要があり，盤内スペースが減少して配線作業が煩雑になる上に，端子台が複数個必要となりコストアップの要因となるという課題があった。
【０００７】
また，主幹ブレーカからの電線引き回し作業を，端子台の数だけ複数箇所行う必要が生じ，一次送り用の配線作業に手間がかかるという課題があった。
【０００８】
さらに，分電バーの下方に位置する端子台への主幹ブレーカからの配線が，該分電バーを跨ぐように配設されるため十分な絶縁性に注意して作業を行う必要があるなど作業性が困難であるという課題があった。
【０００９】
そこで本件の発明は，複数の一次送り回路を盤内に設けるに当たり，コストアップを最小限に抑えながらも盤内のスペースは単一の一次送り回路を設ける場合と変わらずに設けられ，盤内の作業スペースを圧迫せず，しかも配線作業を容易に行うことが可能な複数の一次送り回路を設けることが可能なブレーカ用端子台及び複数の一次送りブレーカ付き分電盤を提供することを目的としている。
【課題を解決するための手段】
【００１０】
以上のような課題を解決するために，第一の課題解決手段においては，基板への固定手段とプラグイン端子を有し，該プラグイン端子に導体を接続するための開口を具備し該開口は短側面から長側面に連続して開口しているブレーカのプラグイン端子に電源導体を接続する端子台であって，
該端子台は，電源導体を接続する端子部と前記プラグイン端子に接続するバー状端部を備える導電体，該導電体を保持するとともに前記基板への固定手段を備える絶縁枠体から成り，
前記バー状端部の絶縁枠体からの突出方向の長さは，ブレーカの並設方向の幅の整数倍に設けられ，
該端子台は前記ブレーカの長側面に接して位置するとともに，前記導電体のバー状端部は
該バー状端部の絶縁枠体からの突出方向の長さに応じた数のブレーカに対して各々のブレーカのプラグイン端子に挿入接続されてブレーカの長側面の開口から導出されることを特徴としてブレーカ用端子台を提供したものである。
これにより，ブレーカのプラグイン端子に接続するバー状端部の絶縁枠体からの突出方向の長さを，ブレーカの並設方向の幅の整数倍に設けて構成したため，盤内のスペースについては，一次送り回路を一つだけ設けた場合と変えずに，所定の複数のブレーカを一次送り回路のブレーカとして用いることができ，
また，コストアップについては，所定の長さだけ伸ばしたバー状端部分が相当しコストアップは僅かで最小限となるため，配線作業の煩雑さやコストアップ要因を伴わずに複数の回路を一次送り回路にできるブレーカ用端子台を提供することが可能となる。
【００１１】
第二の課題解決手段においては，基板と，主幹ブレーカと，主幹ブレーカの２次側に接続される分電バーと，該分電バーに接続するプラグイン端子を含み前記基板に長側面が隣合うように並べて固定される複数の分岐ブレーカを備える分電盤において，
前記複数の分岐ブレーカの側端部に位置する分岐ブレーカから数えて，第一の課題解決手段に記載のバー状端部の絶縁枠体からの突出方向の長さに対応する数のブレーカに対して該バー状端部を接続して，端子台を設けるとともに，
該端子台の端子部と主幹ブレーカの１次側を電源導体で接続したことを特徴とする複数の１次送りブレーカ付き分電盤を提供したものである。
これにより，複数の一次送り回路を設ける場合において用いる端子台は一つでよく，配線作業が煩雑にならず，一次送り用の配線作業に手間がかからず，分電バーを跨いだ配線が不要で配線作業を簡易に行うことが可能となる。
【発明の効果】
【００１２】
本発明によれば，一次送り回路に用いる端子台をブレーカのプラグイン端子に接続するバー状端部の絶縁枠体からの突出方向の長さを，ブレーカの並設方向の幅の整数倍に設けて構成し，該端子台を分電盤を備えて，該端子台の端子部と主幹ブレーカの１次側を電源導体で接続して一次送り回路を設けた分電盤を構成したため，複数の一次送り回路を盤内に設けるに当たり，コストアップを最小限に抑えながらも盤内のスペースは単一の一次送り回路を設ける場合と変わらずに設けられ，盤内の作業スペースを圧迫せず，しかも配線作業を容易に行うことが可能なよう，複数の一次送り回路を設けることが可能なブレーカ用端子台及び複数の一次送りブレーカ付き分電盤を提供することができる。
【実施例１】
【００１３】
次に，本発明に係る住宅用分電盤の実施の形態について図面を用いて説明する。
【００１４】
以下に本件発明を，図面を用いて詳細に説明する。図１から図４は，分岐ブレーカーの電源端子がプラグイン方式で１次送り専用分岐ブレーカーがない分電盤の説明図である。図１において１は主幹ブレーカー，２と３は分岐ブレーカー配設部であり，複数の分岐ブレーカーが２列に配列され，図では，２側に４個，３側に４個，計８個の分岐ブレーカーを有している。主幹ブレーカーと複数の分岐ブレーカーは，９と４の分電バーにより，主幹ブレーカーの２次側端子１０２と複数の分岐ブレーカーの電源側端子が電気的に接続されている。また，２側と３側の分岐ブレーカーは分電バーを挟んで対峙している。５と６は図の一番左側の上下に位置する分岐ブレーカーの電圧切替装置で５は上側７の分岐ブレーカーの，６は下側８の分岐ブレーカーの電圧切替装置で夫々の分岐ブレーカーへの供給電圧を単相３線式の１００Ｖと２００Ｖに切替えるようになっている。
【００１５】
図２は図１の主幹ブレーカーと分岐ブレーカーと分電バーの部分を詳細に表した図で，図３は１００Ｖ２００Ｖ電圧切替手段を含む分電バーの分解構造を示す。図３において，１１〜１３は主導体で１１は単相３線式のＬ１極，１２はＮ極，１３はＬ２極で，それぞれ主幹ブレーカー１の２次側に接続される。１２のＮ極の主導体からは１２０１のように分岐ブレーカーの数だけＵ字状切欠部が設けられており，１１と１３の主導体には，Ｕ字状切欠部１１０１，１３０１および，接続部１１０２，１３０２が片方の列の分岐ブレーカーの数分だけ設けられている。５０１と６０１は切替ねじ，５０２と６０２は接続板，５０３と６０３は切替接続子，５０４と６０４は雌ねじ部材で，５０１〜５０４と１１０１，１２０１で５の電圧切替装置を，６０１〜６０４，１２０２，１３０１で６の電圧切替装置を構成している。
【００１６】
図４の１０は各電圧切替装置間を絶縁する絶縁枠体で，内部が電圧切替装置の数分の区画に仕切られており，夫々の区画には接続板と主導体の分岐ブレーカーへの接続部を延出する切欠窓部１００１と１００２が設けられている。
【００１７】
図３の電圧切替装置は次のように組み合わせられる。ねじ５０１は接続板５０２の長穴部と切替接続子５０３を貫通し，雌ねじ部材５０４に螺装されるが，雌ねじ部材５０４と切替接続子５０３の間にＵ字状切欠部１１０１または１２０１を挟んで螺着される。１１０１と１２０１のＵ字状切欠部は互いにＵ字の開放部が向かい合わせになるよう配置されており，ねじ５０１を緩めた状態では，ねじ５０１と切替接続子５０３と雌ねじ部材５０４は，接続板５０２の長穴内を移動して，Ｕ字状切欠部１１０１と１２０１の間を行き来できるよう構成されている。
【００１８】
図３において，分電バーと分岐ブレーカーは，絶縁枠体１０から延出した接続板６０２と接続部１１０２に分岐ブレーカー８の電源側プラグイン端子８０１と８０２が差し込まれて弾性的に接続される。この状態でねじ６０１を接続板６０２の長穴内で分岐ブレーカー８に近い位置に寄せてねじを締めつければ，接続板６０２は，Ｎ極に電気的に接続されて，分岐ブレーカー８は単相３線式のＮ極とＬ２極に接続され，１００Ｖの電圧が分岐ブレーカー８に供給され，また長穴内で分岐ブレーカー８から遠い位置に寄せてねじを締めつければ，接続板６０２は，Ｌ１極に電気的に接続されて，分岐ブレーカー８は単相３線式のＬ１極とＬ２極に接続され，２００Ｖの電圧が分岐ブレーカー８に供給されることになる。同様に向かい合って設置される分岐ブレーカー７も電圧切替装置５により供給電圧を切替えることができる。
【００１９】
図５および図６は本件発明のブレーカ用端子台の説明図である。図５において２０，２０’はブレーカ，２１は基板，２２は端子台，２３，２４は電源導体である。ブレーカ２０は基板２１に対する取付面に図示しない系合凹部を有し，該系合凹部に基板２１の系合凸起２１１が系合するとともに，基板２１の溝２１２に対し図示しない爪がブレーカ２０から突出して基板２１に固定される。またブレーカ２０の短側面２０１にはプラグイン端子の開口部２０５１，２０６１を有し，該開口は長側面２０２側に連続する開口２０５２，２０６２を有している。
【００２０】
２２は端子台で，該端子台は図２に示すように端子部２２２２と２２３２およびバー状端部２２２１と２２３１を有する導電体２２２と２２３，および絶縁枠体２２１から成り，該絶縁枠体から前記バー状端部２２２１と２２３１および端子部２２２２と２２３２を露出するよう図５のように組み立てられる。バー状端部２２２１と２２３１は，各々の分岐ブレーカの並設方向の幅の整数倍となるようこの場合には２倍の長さに設けられている。該バー状端部２２２１と２２３１は，ブレーカ２０の短側面２０１のプラグイン端子開口２０５１，２０６１から挿入されてプラグイン端子に接続され，開口２０５２，２０６２に収納されるとともに絶縁枠体は長側面２０２に接して位置し，絶縁枠体の穴２２１１により基板２１の穴２１３にねじ２５で固定される。ブレーカ２０’についても同様である。その後，端子部２２２２，２２３２には電源導体２３，２４が接続され，ブレーカ２０及び２０’は電源導体２３，２４から電圧を供給される。
【００２１】
図７は，図５に示す端子台２２とブレーカ２０を分電盤に実装する場合の分岐ブレーカと基板および分電バー部の図で，分電バー４および該分電バー４に接続される複数の分岐ブレーカ３１〜３７が基板２１に取り付けられており，分電バーの上下に対向して配設されるブレーカのうち上側のブレーカにおいて，分岐ブレーカ３１〜３３の側端部から数えて１番目と２番目にブレーカ２０と２０’と端子台２２が取付られている。なお，導電バー４のブレーカ２０及び２０’に接続するための接続部は予め切断されている。
【００２２】
図８は，図７に示す分電バーと複数の分岐ブレーカにさらに主幹ブレーカ１を取付け分電盤として構成した概念図で，３１〜３７の分岐ブレーカは主幹ブレーカ１の２次側端子１０２に接続された分電バー４から電圧を供給され，ブレーカ２０，２０’は端子台２２に接続された電源導体２３，２４を通じ主幹ブレーカ１の１次側端子１０３から電圧を供給するよう構成されている。
【００２３】
一次送りを用いる負荷の数が２個よりも増えて，３個，４個，・・と必要である場合には，図９に示したように，バー状端部の絶縁枠体からの突出方向の長さを，ブレーカの並設方向の幅の整数倍である３倍，４倍の長さに設けた導電バーを用いて端子台を構成するとともに，この端子台を用いた分電盤を構成し，一次送り回路数を増やした分電盤を簡単に構成することができる。
【００２４】
以上のように，一次送り回路に用いる端子台をブレーカのプラグイン端子に接続するバー状端部の絶縁枠体からの突出方向の長さを，ブレーカの並設方向の幅の整数倍に設けて構成し，該端子台を分電盤を備えて，該端子台の端子部と主幹ブレーカの１次側を電源導体で接続して一次送り回路を設けた分電盤を構成したため，複数の一次送り回路を盤内に設けるに当たり，コストアップを最小限に抑えながらも盤内のスペースは単一の一次送り回路を設ける場合と変わらずに設けられ，盤内の作業スペースを圧迫せず，しかも配線作業を容易に行うことが可能なよう，複数の一次送り回路を設けることが可能なブレーカ用端子台及び複数の一次送りブレーカ付き分電盤を提供することができる。
【産業上の利用可能性】
【００２５】
本発明によれば，分岐開閉器の並びに沿って，一次送り用の開閉器を省スペースに配置することが可能となるため，住宅用分電盤のみならず，一連の分岐開閉器からなる分岐開閉器群が複数個盤内に設けられる工業用の制御盤等においても本発明を適用することで，より省スペースに一次送り用開閉器を備えた盤を提供できる可能性がある。
【図面の簡単な説明】
【００２６】
【図１】１次送りのない分電盤の概念図。
【図２】１次送りのない分電盤の分岐ブレーカと分電バーと基板と主幹ブレーカの図。
【図３】図７に示す分電バーの導電部のみの分解説明図。
【図４】図７に示す分電バーの絶縁枠体。
【図５】本件発明のブレーカ用端子台とブレーカの説明図。
【図６】ブレーカ用端子台の分解斜視図。
【図７】本件発明のブレーカ用端子台とブレーカを分電盤の分岐回路ユニットに組み込んだ実施例。
【図８】本件発明のブレーカ用端子台を使用した１次送りブレーカ付き分電盤の概念図。
【図９】他の実施例を示す図。
【図１０】従来の１次送りブレーカ付き分電盤の概念図。
【図１１】従来の１次送りブレーカ付き分電盤の概念図。
【符号の説明】
【００２７】
１  主幹ブレーカー
２  カバー
３  ボックス
１１  主導体のＬ１極
１２  主導体のＮ極
１３  主導体のＬ２極
１１０１  Ｕ字状切欠部
１３０１  Ｕ字状切欠部
１１０２  接続部
１３０２  接続部
５  電圧切替装置
５０１  切替ねじ
５０２  接続板
５０３  切替接続子
５０４  雌ねじ部材
６  電圧切替装置
６０１  切替ねじ
６０２  接続板
６０３  切替接続子
６０４  雌ねじ部材
７  分岐ブレーカー
８  分岐ブレーカー
１０  絶縁枠体
２０  分岐開閉器
２０’  分岐開閉器
２１  基板
２２  端子台
２３  電源導体
２４  電源導体
２１２  溝
２１３  穴
２０１  短側面
２０５１  開口部
２０５２  開口部
２０６１  開口部
２０６２  開口部
２０２  長側面
２２２２  端子部
２２３２  端子部
２２２１  バー状端部
２２３１  バー状端部
２２１  絶縁枠体
２２２  導電体
２２３  導電体
２５  ねじ
８０１  電源側プラグイン端子
８０２  電源側プラグイン端子
【図１】
2006079926.tif 000003
【図２】
2006079926.tif 000004
【図３】
2006079926.tif 000005
【図４】
2006079926.tif 000006
【図５】
2006079926.tif 000007
【図６】
2006079926.tif 000008
【図７】
2006079926.tif 000009
【図８】
2006079926.tif 000010
【図９】
2006079926.tif 000011
【図１０】
2006079926.tif 000012
【図１１】
2006079926.tif 000013